(57)【要約】      （修正有）【課題】両肘、両脇の締ったミスの少ないスイングになるゴルフスイング補助具を提供する。【解決手段】ゴルフ練習時両腕の二の腕の肘の上部に巻くベルトで、右腕に巻くベルト部Ａ１と、左腕に巻くベルト部Ｂ２と、中間をつなぐ伸縮ベルト部Ｃ３と、で構成され、ベルトは厚地の布製で強度があり、腕に巻ける充分な長さがあり、巾は３センチとし、左右の腕に巻くベルトＡ１、Ｂ２の両端に面ファスナーｄ１、ｄ２、ｅ１、ｅ２が縫合され両腕に固定される。【選択図】図１
0003218240.tif 000002
【実用新案登録請求の範囲】
【請求項１】
0003218240.tif 000020
つなぐ中間のベルトは伸縮ベルトＣです
巻き付ベルトは厚地の布製で強度があり自由がきき
0003218240.tif 000021
左右巻き付ベルトの両端に面ファスナーが図１のＡ側にｄ１・ｄ２を貼り付けたり縫合されているＢ側ベルトにもｅ１・ｅ２が同じ状態で付いている
伸縮ベルトも同じ３ｃｍ巾でベルトと同じ布製やゴム製の物もある。
【考案の詳細な説明】
【技術分野】
【０００１】ゴルフの練習に用いる用具に関する。
【背景技術】
【０００２】ゴルフをする時誰でもボールを遠くに飛ばしたいと思い
0003218240.tif 000003
ありスイング中のバックスイングの途中、トップの位置、ホロースルーの各部において両肘の間隔の巾の変化による
0003218240.tif 000004
通過できなくなる。
【先行技術文献】
【特許文献】
【０００３】
【特許文献１】特開２０００−２８８１４７この文献は脇を締めることだけが強調されているため
0003218240.tif 000005
【特許文献２】
0003218240.tif 000006
【考案の概要】
【考案が解決しようとする課題】
【０００４】
0003218240.tif 000007
によってゴルフシャフトがプレーン上を通過出来なくなる
0003218240.tif 000008
【課題を解決するための手段】
【０００５】
0003218240.tif 000009
巻き付ベルト図１を巻き付け左右両巻き付ベルトをつなぐ中間に伸縮ベルトがある  巻き付ベルトは厚地の布製で
0003218240.tif 000010
面ファスナーｄ１・ｄ２Ｂ左用巻き付ベルトの両側には面ファスナー
0003218240.tif 000011
面ファスナーを使用しない場合はその部分にホックボタンを使用
0003218240.tif 000012
なっていて布製の物やゴム製の物もある。
【考案の効果】
【０００６】ゴルフ練習する時このゴルフ携帯スイング補助具の図１の
0003218240.tif 000013
両巻き付ベルトをつなぐ中間に伸縮ベルトＣあるのでアドレスをした時両肘の間隔は１３ｃｍ位（大柄の人は１８ｃｍ位、）とせまくなりますこの状態でスイングを始めると重用な点は
0003218240.tif 000014
両脇両肘がしまっているのでアドレスからバックスイングの途中の位置トップの位置フォロースルーの位置でも両肘の
0003218240.tif 000015
出来る  アマゴルファーはトップの位置で両肘が離れすぎる
0003218240.tif 000016
クラブシャフトが通れなくなるこの補助具を装置して
0003218240.tif 000017
を通り体を軸とした回転になるため正しいトップの位置に
0003218240.tif 000018
通るためクラブシャフトがスイングプレーン上を通るため正確なインパクトが出来る又両肘がせまい状態のもう１つの利点はアドレスの手首の位置からトップの手首の位置になった時の手首の角度を保ったままクラブが下りてきてインパクトを向かえる前に両手首がアドレス時の手首の位置にもどろうとしてクラブシャフトにムチのような状態が現われるためヘッドスピードが過速しボールの飛距離が増大します  パークゴルフや野球のバットスイングにも応用出来る。
【図面の簡単な説明】
【０００７】
【図１】
0003218240.tif 000019
【図２】ベルト装着正面図
【図３】スイングプレーン線
【図１】
0003218240.tif 000022
【図２】
0003218240.tif 000023
【図３】
0003218240.tif 000024
【手続補正書】
【提出日】平成30年7月4日(2018.7.4)
【手続補正１】
【補正対象書類名】実用新案登録請求の範囲
【補正対象項目名】全文
【補正方法】変更
【補正の内容】
【実用新案登録請求の範囲】
【請求項１】
ゴルフ練習時両腕の二の腕の肘の上部に巻くベルトで右腕に巻くベルトＡ部と左腕に巻くベルトＢ部をつなぐ中間に伸縮ベルトＣ部で構成され巻きつけるベルトは厚地の布製で強度があり腕に巻ける充分な長さがあり巾は３センチとし左右巻き付ベルトの両端に面ファスナーが縫合され両腕に固定される  ゴルフスイング補助具。
【手続補正２】
【補正対象書類名】明細書
【補正対象項目名】全文
【補正方法】変更
【補正の内容】
【考案の詳細な説明】
【技術分野】
【０００１】ゴルフ練習に用る用具に関する。
【背景技術】
【０００２】ゴルフをする時誰でもボールを遠くに飛ばしたいと思い肩や腕に力が入って両腕が体から離れすぎたり又左腕が体に近い内側を通り右腕が遠い部分を通ったり又逆の場合もありスイング中のバックスイングの途中、トップの位置、フォロースルーの各部において両肘の間隔の巾の変化による両腕の乱れが生じクラブシャフトがスイングプレン上（図３）を通過できなくなり  ミスショットが出やすくなる。
【先行技術文献】
【特許文献】
【０００３】
【特許文献１】特開２０００−２８８１４７この文献は脇を締めることだけが強調されているため両脇に腕が付いた状態での不自由なスイングになる
【特許文献２】特開２０００−１４０１８１この文献はアドレス時両肘が軽く体に付いた状態とあるがゴルフ雑誌に出ているプロの幾多の助言では体と両肘の間には拳１つ位の間があるとのこと次両腕は肩巾までは自由に動かせるとあるがそれは両肘も自由な動きが出来るので完全な腕の乱れを押さえることは出来ず装備も構造上複雑である。
【考案の概要】
【考案が解決しようとする課題】
【０００４】ゴルフをする時ボールを飛ばしたいと思い肩と腕に力が入りスイング中の両腕の乱れが生じるとそのスイング中に体（首の付根）とボールを結んだスイングプレーン（図３）軸に両腕の乱れにによってクラブシャフトがプレーン上を通過できなくなるのでこの補助具によって両腕の乱れを正常に近ずける。
【課題を解決するための手段】
【０００５】ゴルフ練習時両腕の二の腕の肘の上部に巻き付ベルト（図１）を巻き付けその中間に伸縮ベルトがあり巻き付ベルトは厚地の布製で強度があり自由  きき長さは腕に巻ける充分な長さがあり巾は３センチとし図１の右腕用巻き付けベルトＡ１の両端には面ファスナーｄ１・ｄ２左腕用巻き付ベルトＢ２の両端には面ファスナーｅ１・ｅ２が貼り付けたり縫合されていてこの補助具を装着してアドレスをした時伸縮ベルトの長さは１３センチ程（各体型により１０〜１８センチ）なので両肘、両脇の締ったスイングになるため両腕の乱れをふせぎ正確性のあるミスの少ないスイングになる。
【考案の効果】
【０００６】ゴルフ練習をする時このスイング補助具図１のＡ１、Ｂ２の両巻付ベルトを両腕の二の腕の肘の上部に装着するが装着方法は左腕で説明すると腕の下側になるベルトを回わして腕の上に置き指で押えながらもう１方のベルトの面ファスナーを合せて腕に巻き両巻きつけベルトをつなぐ中間に伸縮ベルト（図１Ｃ−３）がありこのベルトの長さは１３センチ（体型により伸縮ベルトの長さは１０・１３・１５・１８センチの種類がある）なので両肘両脇が締った状態になりこの状態でアドレスすると両手でクラブを握り左足カカト前方のボールにクラブヘッドを合わせるとグリップの位置は正面から見ると左太モモの前にあり伸びた左腕に右腕の肘が１３センチ程に寄り全体として締ったアドレスとなりスイングを始めると重要な点は体を軸とした両腕の円回転運動になりアドレスからのバックスイング、トップの位置、フォロースルーの位置どの位置でも両肘の間隔が保たれるので腕の乱れを押えることが出来るがアマゴルファーはトップの位置、インパクトの位置で両肘の間隔が開きすぎそれが腕の乱れの原因となりやすいこのスイング補助具を装着してバックスイングに入ると右腕に引かれるように左腕が同じ面を通り体を軸とした回転になるため正しいトップの位置になり振り下す時は左腕に引かれるように右腕が同じ面を通りクラブシャフトがスイングプレーン（図３）上を通るため正確なインパクトになりやすく又両肘のせまい状態のもう１つの利点はアドレスの手首の位置からトップの位置の手首の角度になった時の角度を保ったままクラブが下りてきてインパクトを向かえる前に両手首がアドレス時の手首の位置にもどろうとしてクラブシャフトにムチのような状態が現われヘッドスピードが加速しボールの飛距離が増大する。
【図面の簡単な説明】
【０００７】
【図１】  補助具ベルト全体図
【図２】  補助具ベルト装着図
【図３】  スイングプレーン線
【符号の説明】
【０００８】１  Ａ１右腕巻き付ベルト
２  Ｂ２左腕巻き付ベルト
３  Ｃ３伸縮ベルト
４  ｄ１面ファスナーオス
５  ｄ２面ファスナーメス
６  ｅ１面ファスナーオス
７  ｅ２面ファスナーメス